(57)【特許請求の範囲】
【請求項１】
所定の意匠を形成する意匠形成手段が表面側に配設された透明もしくは半透明な樹脂板からなる基材と、該基材の裏面側に前記意匠の形状に対応して所定深さに形成された凹部と、該凹部内に充填された蓄光材と、該蓄光材を覆うように前記基材の裏面側に貼付されたフィルムと、を備え、前記蓄光材のリン光が前記意匠形成手段の意匠を透して前記基材の表面側から視認可能に構成されていることを特徴とする蓄光板。
【請求項２】
前記凹部は、前記基材の縦断面で山形形状に形成されていることを特徴とする請求項１に記載の蓄光板。
【請求項３】
前記フィルムが反射機能を有することを特徴とする請求項１または２に記載の蓄光板。
【請求項４】
前記意匠形成手段は、意匠部分をカットしたフィルムもしくは意匠部分が前記基材の表面に所定手段で印刷された印刷層であることを特徴とする請求項１ないし３のいずれかに記載の蓄光板。
【請求項５】
前記意匠形成手段の表面に、透明もしくは半透明なカバーフィルムが貼付されていることを特徴とする請求項１ないし４のいずれかに記載の蓄光板。
【請求項６】
透明もしくは半透明な樹脂板からなる基材の表面側に所定の意匠を形成する意匠形成手段を配設するステップと、前記基材の裏面側に前記意匠形成手段の意匠に対応して凹部を形成するステップと、前記凹部内に蓄光材を充填するステップと、該充填された蓄光材を覆うように前記基材の裏面側に反射機能を有するフィルムを貼付するステップと、を備えることを特徴とする蓄光板の製造方法。
【請求項７】
前記蓄光材を凹部内に充填する際に、前記基材の裏面で前記意匠と対応しない部分に養生フィルムが貼付されることを特徴とする請求項６に記載の蓄光板の製造方法。
【請求項８】
前記蓄光材は、所定粒径の蓄光顔料と樹脂とを混合させることで形成されていることを特徴とする請求項６または７に記載の蓄光板の製造方法。
【請求項９】
前記基材に形成される凹部の体積が予め算出され、該体積に対応した量の前記蓄光材が前記凹部に充填されることを特徴とする請求項６ないし８のいずれかに記載の蓄光板の製造方法。
【発明の詳細な説明】
【技術分野】
【０００１】
本発明は、学校、病院、公共施設あるいは道路等において、避難誘導標識や看板等として主に使用される蓄光板及びその製造方法に関する。
【背景技術】
【０００２】
従来、この種の蓄光板としては、例えば特許文献１に開示されている。この蓄光板（避難誘導用表示部材）は、セラミック基材の表面に硝子フリットの複数の層と、粒径の大きな蓄光材の複数の層と、スクリーン印刷等で所望の図形や文字、記号等からなる画像層との積層構造で構成されている。
【先行技術文献】
【特許文献】
【０００３】
【特許文献１】特開２００６−２１９３１７号公報
【発明の概要】
【発明が解決しようとする課題】
【０００４】
しかしながら、このような蓄光板にあっては、セラミック基材の表面全域に複数層の蓄光材が積層状態で配置されているため、高価な蓄光材の使用量が多くなり、蓄光板自体のコストアップを招き易いと共に、画像層が平板状の層で形成されるため、蓄光が必要な画像層部分に十分なリン光輝度を長時間得ることが難しい。その結果、例えば屋外等に設置されて災害発生時に使用される避難誘導用の蓄光板として、その蓄光効果（蓄光性）を長時間に亘って十分に果たすことが困難で、その改善が望まれているのが実情である。
【０００５】
本発明は、このような事情に鑑みてなされたもので、その目的は、蓄光材の使用量を低減させつつ長時間に亘り十分なリン光輝度が得られて、コストパフォーマンスに優れ、災害発生時等における蓄光効果を十分に発揮することが可能な蓄光板及びその製造方法を提供することにある。
【課題を解決するための手段】
【０００６】
かかる目的を達成すべく、本発明のうち請求項１に記載の蓄光板は、所定の意匠を形成する意匠形成手段が表面側に配設された透明もしくは半透明な樹脂板からなる基材と、該基材の裏面側に前記意匠の形状に対応して所定深さに形成された凹部と、該凹部内に充填された蓄光材と、該蓄光材を覆うように前記基材の裏面側に貼付されたフィルムと、を備え、前記蓄光材のリン光が前記意匠形成手段の意匠を透して前記基材の表面側から視認可能に構成されていることを特徴とする。
【０００７】
また、請求項２に記載の発明は、前記凹部が、前記基材の縦断面で山形形状に形成されていることを特徴とする。また、請求項３に記載の発明は、前記フィルムが反射機能を有することを特徴とする。さらに、請求項４に記載の発明は、前記意匠形成手段が、意匠部分をカットしたフィルムもしくは意匠部分が前記基材の表面に所定手段で印刷された印刷層であることを特徴とする。また、請求項５に記載の発明は、前記意匠形成手段の表面に、透明もしくは半透明なカバーフィルムが貼付されていることを特徴とする。
【０００８】
また、請求項６に記載の蓄光板の製造方法は、透明もしくは半透明な樹脂板からなる基材の表面側に所定の意匠を形成する意匠形成手段を配設するステップと、前記基材の裏面側に前記意匠形成手段の意匠に対応して凹部を形成するステップと、前記凹部内に蓄光材を充填するステップと、該充填された蓄光材を覆うように前記基材の裏面側に反射機能を有するフィルムを貼付するステップと、を備えることを特徴とする。
【０００９】
また、請求項７に記載の発明は、前記蓄光材を凹部内に充填する際に、前記基材の裏面で前記意匠と対応しない部分に養生フィルムが貼付されることを特徴とする。またさらに、請求項８に記載の発明は、前記蓄光材が、所定粒径の蓄光顔料と樹脂とを混合させることで形成されていることを特徴とする。また、請求項９に記載の発明は、前記基材に形成される凹部の体積が予め算出され、該体積に対応した量の前記蓄光材が前記凹部に充填されることを特徴とする。
【発明の効果】
【００１０】
本発明のうち請求項１に記載の蓄光板によれば、透明もしくは半透明な樹脂板からなる基材の裏面側に意匠形成手段の意匠形状に対応して凹部が形成され、この凹部内に蓄光材が充填されて、この蓄光材のリン光が意匠形成手段の意匠を透して基材の表面側から視認可能に構成されているため、蓄光材を意匠部分に対応した凹部内のみに充填すれば良く、その使用量を低減させることができると共に、意匠に対応した凹部内の蓄光材のリン光で意匠部分を表面側から良好に視認できて、十分なリン光輝度が得られる等、コストパフォーマンスに優れると共に、災害発生時等における蓄光板の蓄光効果を十分に発揮して、蓄光板の市場への普及を促進することができる。
【００１１】
また、請求項２に記載の発明によれば、請求項１に記載の発明の効果に加え、凹部が縦断面で山形形状に形成されているため、蓄光材から放射されるリン光を、隣接する凹部の山形部分等で乱反射させつつ基材の表面側に放射できて、基材の表面側に配設された意匠形成手段の意匠を良好に視認させることができる等、蓄光効果を一層高めることができる。
【００１２】
また、請求項３に記載の発明によれば、請求項１または２に記載の発明の効果に加え、フィルムが反射機能を有するため、蓄光材への蓄光やリン光の放射が効率的に行え蓄光材のリン光を基材表面から良好に視認できて、蓄光効果をより一層高めることができる。
【００１３】
さらに、請求項４に記載の発明によれば、請求項１ないし３に記載の発明の効果に加え、意匠形成手段が意匠部分がカットされたフィルムかもしくは各種印刷手段で基材の表面に印刷された印刷層であるため、意匠形成手段に所望の意匠を簡単に形成できて、各種意匠を必要とする各種蓄光板に容易に適用することができる。
【００１４】
また、請求項５に記載の発明によれば、請求項１ないし４に記載の発明の効果に加え、意匠形成手段の表面に透明もしくは半透明なカバーフィルムが貼付されているため、意匠部分をカバーフィルムで覆うことができ、蓄板板の耐久性を向上させて、屋外であっても長期に亘り使用することができる。
【００１５】
また、請求項６に記載の蓄光板の製造方法によれば、透明もしくは半透明な樹脂板からなる基材の裏面側に凹部を形成するステップ、凹部内に蓄光材を充填するステップ、及び充填された蓄光材を覆うように基材の裏面側に反射機能を有するフィルムを貼付するステップ等を備えるため、蓄光材を意匠に対応した凹部内のみに充填すれば良く、その使用量を低減させることができると共に、意匠に対応した凹部内の蓄光材で意匠部分を表面側から良好に視認できて、十分なリン光輝度が得られる等、コストパフォーマンスに優れると共に、災害発生時等における蓄光板の蓄光効果を十分に発揮して、蓄光板の市場への普及を促進することができる。
【００１６】
また、請求項７に記載の発明によれば、請求項６に記載の発明の効果に加え、凹部内に蓄光材を充填する際に、基材の裏面で意匠と対応しない部分に養生フィルムが貼付されるため、養生フィルムで充填される蓄光材の凹部以外への付着等を防止でき、意匠の外周線を明確にしつつ意匠に対応した凹部内にのみ蓄光材を確実に充填できて、蓄光板の品質向上や製造時の歩留まりの向上等を図ることができる。
【００１７】
またさらに、請求項８に記載の発明によれば、請求項６または７に記載の発明の効果に加え、蓄光材が蓄光顔料と樹脂とを混合させたものであるため、高価な蓄光顔料の使用量を極力低減させることができて、蓄光板の製造コストを一層低減させることができる。
【００１８】
また、請求項９に記載の発明によれば、請求項６ないし８に記載の発明に効果に加え、基材に形成される凹部の体積が予め算出され、該体積に対応した量の蓄光材が凹部に充填されるため、蓄光材を凹部内に例えば計量カップを使用して簡単かつ確実に充填することができると共に、蓄光材の使用量を用途に応じて最適量とすることができて、蓄光板の製造コストをより一層低減させることができる。
【図面の簡単な説明】
【００１９】
【図１】本発明に係わる蓄光板の基本概念を示す平面図
【図２】同その側面図
【図３】同本発明に係わる蓄光板の具体的な実施形態を示す平面図
【図４】同図３のＡ−Ａ線に沿った断面図
【図５】同凹部の平面図
【図６】同蓄光板の製造方法の一例を示す工程図
【図７】同蓄光板のリン光輝度の測定結果を示す図
【図８】同他のリン光輝度の測定結果を示す図
【図９】同凹部の変形例を示す断面図
【発明を実施するための形態】
【００２０】
以下、本発明を実施するための形態を図面に基づいて詳細に説明する。
図１及び図２は、本発明に係わる蓄光板の基本概念を示している。図に示すように、蓄光板１は、例えば平面視正方形状に形成された所定厚さの例えば樹脂製透明板からなる基材２を有し、この基材２には、その裏面２ｂ側の所定位置（図面では略全域）に多数の凹部３が互いに連設状態で形成され、その表面２ａ側には、図示しない図柄、文字等の意匠が形成された意匠フィルム４が配設されて、当該意匠フィルム４の意匠が基材２の表面２ａ側から視認されるようになっている。
【００２１】
また、前記基材２に設けられた各凹部３には、蓄光材５がそれぞれ充填され、この蓄光材５の裏面すなわち基材２の裏面２ｂ側には、反射フィルム６が貼付（貼着）されている。なお、前記各凹部３は、図示した例では基材２の平面視形状に対応した所定外形の平面視正方形状で中央部が最深位置となるように形成され、正方形を形成する４本の稜線と、正方形の四隅から最深部３ａに向けた４本の稜線とで、４つの斜面３ｂを有する如く形成されて、各凹部３の最深部３ａにおける縦断面が山形（三角）形状となっている。
【００２２】
図３〜図８は、前記基本概念を具体化した蓄光板の一実施形態を示している。以下、図１及び図２と同一部位には同一符号を付して説明する。この実施形態の蓄光板１は、図３に示すように、基材２の表面２ａ側に貼付された意匠形成手段としての前記意匠フィルム４を有し、この意匠フィルム４には、避難する人物を示すイラスト４ａと、津波を示すイラスト４ｂ及び避難場所を示す建物のイラスト４ｃが形成されて、意匠としての各イラスト４ａ〜４ｃが、基材２の表面２ａ側から視認されて地震発生時の避難誘導表示板として使用されるようになっている。
【００２３】
また、蓄光板１は、図４に示すように、所定板厚（例えば５ｍｍ程度）の透明なアクリル板からなる平面視正方形状の前記基材２を有し、この基材２には、その裏面２ｂ側から表面２ａ側にかけて所定深さの縦断面で山形形状の前記凹部３が複数個連設状態で形成されている。このとき、凹部３の深さは、その最深部３ａが基材２の表面２ａ側に貫通しない程度に設定されると共に、後述する如く、例えば外形の一辺が５〜２０ｍｍ程度の平面視正方形の多数の凹部３を所定形態で連設させることにより、多数の凹部３の外周線が前記各イラスト４ａ〜４ｃの外周線と略一致するようになっている。
【００２４】
そして、この凹部３内には、前記蓄光材５が充填・固化されている。この蓄光材５は、所定粒径の蓄光顔料と例えばエポキシ樹脂、ウレタン樹脂、ＥＶＡ樹脂等の樹脂とを湯煎しながら混合したもので、これが凹部３内に充填され、例えば自然乾燥されることで凹部３内に固化状態で配設されている。この蓄光材５と基材２の裏面２ｂ側には、屋外用塩ビフィルム、光反射フィルム、プリズムフィルム等の光を反射可能な例えば白色の前記反射フィルム６が接着剤により貼付されている。
【００２５】
なお、この反射フィルム６としては、上記例に限定されず、光拡散シート、光反射塗料をフィルム状に塗布した塗布層や白塗装、あるいは白インクでのシルク印刷層やＵＶプリンターでの印刷層等を使用することもできる。この場合、白色の反射フィルム６は、基材２の裏面全域に設ける構成に限らず、蓄光材５の充填部分のみに設け他の部分は他の適宜の色の反射フィルム６等を使用するようにしても良い。この反射フィルム６で、蓄光材５を透過した紫外線が反射されると共に、蓄光材５によるリン光も反射されるようになっている。
【００２６】
また、基材２の表面２ａに接着剤で貼付される前記意匠フィルム４は、所定色（例えば緑色）で全体形状が基材２の外形形状に略対応した正方形状に形成され、例えば屋外用塩ビフィルム、屋外用反射フィルム（再帰反射フィルム）が使用されている。この意匠フィルム４も、前記反射フィルム６と同様に、例えば耐候性のあるインクのシルク印刷で形成された印刷層、あるいはインクジェットプリンターによる透明塩ビシートへの印刷等で形成された印刷層を使用することも勿論可能である。
【００２７】
そして、この意匠フィルム４は、前述したように、その所定位置に前記３つのイラスト４ａ〜４ｃが形成されたカッティングフィルムで構成されている。この時、基材２の表面２ａに貼付される意匠フィルム４は、そのカッティングされた意匠部分に対応して前記凹部３が位置、すなわち各イラスト４ａ〜４ｃの外周線と凹部３の外周線とが基材２の厚さ方向で略一致するように形成されている。また、この意匠フィルム４の表面には、透明なカバーフィルム７が接着剤により貼付され、このカバーフィルム７で意匠フィルム４が保護されるようになっている。なお、このカバーフィルム７は、必ずしも必要ではなく、省略することも可能である。
【００２８】
ところで、前記凹部３は平面視正方形状であることから、その外周線を各イラスト４ａ〜４ｃの外周線にできるだけ近似させるために、例えば図５に示すようにして凹部３が基材２の裏面２ｂに形成されている。すなわち、複数の凹部３を直線状に連設する場合は、図５（ａ）に示すように、各凹部３の最深部３ａが直線状となるように左右及び前後方向に所定数連設され、各凹部３の外周縁を平面視直線状の平坦な外周斜面３ｃを介して基材２の裏面２ｂに連設するようにする。
【００２９】
また、イラスト４ａ〜４ｃのコーナ部（曲線部）においては、図５（ｂ）に示すように、２つの傾斜した球面３ｄ（断面円弧面）を介して基材２の裏面２ｂに連設するようにする。なお、例えば図５（ｃ）に示すように、図５（ａ）の外周斜面３ｃに、傾斜した球面３ｄを形成して凹部３の外周縁を基材２の裏面２ｂに連設しても良く、連設される各凹部３の外周斜面３ｃの形態は、各イラスト４ａ〜４ｃの形態等に応じて適宜の構造を採用することができる。
【００３０】
このように構成された蓄光板１は、次のようにして動作する。すなわち、蓄光板１を屋外に設置した場合は昼間の太陽光の紫外線が、あるいは蓄光板１を屋内に設置した場合は蛍光灯やＬＥＤ照明の紫外線が、蓄光板１の表面２ａに照射され、これが透明なカバーフィルム７及び意匠フィルム４のカットされた各イラスト４ａ〜４ｃ部分を透過して基材２内部に進入する。この紫外線は、各イラスト４ａ〜４ｃに対応した基材２の凹部３内の蓄光材５に照射されて蓄光され、この時、蓄光材５の裏面に反射フィルム６が貼付されていることから、蓄光材５を透過した紫外線の裏面２ｂ外側への透過が防止されて、紫外線が反射フィルム６で反射等されつつ蓄光材５に効率的に蓄光される。
【００３１】
一方、夜間や消灯時においては、昼間時や点灯時に蓄光材５に蓄光された光（リン光）が基材２の表面２ａ側に向けて放射される。この時、蓄光材５は、断面山形形状の凹部３内に充填されていることから、蓄光された光が山形形状の４つの斜面３ｂから各種方向に放射され、その一部が例えば図４の二点鎖線イで示すように、隣接する凹部３の斜面３ｂで反射、すなわち乱反射状態で放射され、これが意匠フィルム４の表面側から視認されて、各イラスト４ａ〜４ｃが夜間や屋内消灯時であっても良好に視認されることになる。
【００３２】
つまり、この蓄光板１は、意匠フィルム４の各イラスト４ａ〜４ｃに応じた位置に形成した基材２の凹部３内に蓄光材５を充填すると共に、各凹部３を４つの斜面３ｂを有する断面山形形状とし、かつ蓄光材５の裏面側に反射フィルム６を貼付することで、昼間時等の蓄光効率を高めつつ、夜間等に蓄光材５に蓄光されたリン光を、凹部３の斜面３ｂ等を利用して乱反射させることで、意匠フィルム４の各イラスト４ａ〜４ｃを蓄光板１の表面２ａ側から良好に発光させるようにしている。
【００３３】
次に、このような蓄光板１の製造方法の一例を、図６に基づいて説明する。先ず、蓄光板１の製造にあたっては、基材２の板厚や大きさ等の全体形状、基材２に形成されるイラスト、文字等の意匠やこれらに対応して形成する凹部３の体積、使用する意匠フィルム４の色や材質及び厚み、意匠フィルム４にカッティングする各イラスト４ａ〜４ｃの形状や位置等の、意匠フィルム４に形成される意匠のデザインを決定（Ｓ０１）する。
【００３４】
意匠デザインを決定したら、基材２の裏面２ｂで意匠を形成する各イラスト４ａ〜４ｃに対応しない位置に養生フィルム８を貼付、すなわち図４に示すように、凹部３を形成しない基材２の裏面２ｂに養生フィルム８を貼付（Ｓ０２）する。このとき使用される養生フィルムとしては、屋外用塩ビフィルム、塗装用マスキングテープ、表面保護フィルム等が使用される。
【００３５】
養生フィルム８を所定位置に貼付したら、この基材２を例えばルータ彫刻機にセットし、前記ステップＳ０１でデザイン決定した意匠データに基づいて、該ルータ彫刻機を動作させて、基材２に凹部３を彫刻（Ｓ０３）する。このとき、ルータ彫刻機には、基材２の板厚と凹部３の形状等が設定されることにより、各イラスト４ａ〜４ｃに対応した多数の凹部３が、前述した図５（ａ）〜（ｃ）に示すような形態でそれぞれ彫刻されることになる。
【００３６】
凹部３を彫刻したら、例えば基材２の表面２ａを治具上等に水平状態で設置し、各凹部３内に蓄光材５を充填（Ｓ０４）する。この蓄光材５は、所定粒径の蓄光顔料と屋外塗装用のエポキシ樹脂を湯煎して混合させることで形成され、この蓄光材５を凹部３内に計量カップを使用して充填する。このときの充填は、余分な蓄光材５を例えばヘラにて除去しながら行うと共に、ステップＳ０２による養生フィルム８の貼付で、凹部３の充填時に凹部３の外周斜面３ｃの上面端縁、すなわち凹部３が形成されていない基材２の裏面２ｂの凹部３側端縁への蓄光材５の付着が防止された状態となる。また、基材２の全て凹部３内に充填される蓄光材５自体の量（容積）は、前記ステップＳ０１で決定した凹部３の体積に略対応した量に設定されて、高価な蓄光顔料の使用の無駄を省くようになっている。
【００３７】
次に、凹部３に蓄光材５を充填したら、この充填状態において、常温（例えば２３℃）で５〜１２時間自然状態で放置して蓄光材５を乾燥（Ｓ０５）し、この乾燥後に前記ステップＳ０２で貼付した養生フィルム８を基材２から剥離（Ｓ０６）する。養生フィルム８を剥離したら、基材２の裏面２ｂの全域に反射フィルム６を貼付（Ｓ０７）する。この反射フィルム６の貼付により、凹部３内に充填された蓄光材５が、蓄光材５自体の乾燥による固化及び凹部３内面への密着と貼付された反射フィルム６とにより、凹部３内からの脱落が防止された状態となる。
【００３８】
ステップＳ０７で反射フィルム６を貼付したら、前記ステップＳ０１の意匠データに基づいて各イラスト４ａ〜４ｃがカッティングされた意匠フィルム４を、基材２の表面２ａに貼付（Ｓ０８）する。このとき、意匠フィルム４の外形形状と基材２の外形形状が一致すると共に、意匠フィルム４の各イラスト４ａ〜４ｃと基材２の凹部３とが、基材２の板厚方向において略一致した状態に形成されていることから、例えば意匠フィルム４の外周線を基材２の外周縁に合わせて貼付することで、各イラスト４ａ〜４ｃと凹部３とが基材２の板厚方向で略一致した状態となる。
【００３９】
意匠フィルム４を基材２の表面２ａに貼付したら、この意匠フィルム４上に透明もしく半透明なカバーフィルム７を貼付（Ｓ０９）する。このカバーフィルム７により、意匠フィル４の上面、すなわち蓄光板１の表面２ａが保護されることになり、このカバーフィルム７の貼付で前記蓄光板１が完成（Ｓ１０）する。なお、前記ステップＳ０１〜Ｓ０９において、例えばステップＳ０３の彫刻後に彫刻面をエア清掃すると共に、ステップＳ０４の蓄光材５の充填後の反射フィルム６の貼付の前には、基材２の裏面２ｂや充填・固化した蓄光材５の裏面を清掃することは言うまでもない。
【００４０】
また、以上の製造ステップにおいては、ステップＳ０８において、カッティングすなわち各イラスト４ａ〜４ｃが形成された意匠フィルム４を基材２の表面２ａに貼付したが、例えばステップＳ０２の養生フィルム８の貼付前に、各イラスト４ａ〜４ｃが形成された意匠フィルム４やカバーフィルム７を基材の表面２ａに貼付した状態とすることも勿論可能であるし、例えばステップＳ０５における乾燥を自然乾燥ではなく、ヒータやファン等を使用した乾燥とすることも可能である。
【００４１】
つまり、以上の蓄光板１の製造方法によれば、基材２の裏面２ｂに縦断面が山形形状の多数の凹部３を各イラスト４ａ〜４ｃの形状に対応させて形成し、この各凹部３内に蓄光材５をそれぞれ充填して、その裏面に反射フィルム６を貼付するようにしている。そして、蓄光材５を凹部３に充填する際には、凹部３以外の部分に養生フィルム８を貼付して蓄光材５の凹部３以外の部分への付着を防止すると共に、各イラスト４ａ〜４ｃに対応した凹部３の体積を予め算出し、この体積に対応した量の蓄光材５を蓄光顔料とエポキシ樹脂とを予め混合させて形成することで、高価な蓄光顔料の効率的な使用を可能にしている。
【００４２】
図７と図８は、前記蓄光板１のリン光輝度の測定結果を示している。図７は、ＪＩＳ規格Ｚ９１０７−２００８における各輝度ランクのリン光輝度と前記実施形態におけるリン光輝度を示している。この図７から明らかなように、前記実施形態の蓄光板１の場合は、ＪＩＳ規格の最高輝度ランクＪＤを大幅に超える値であり、蓄光効果が優れていることがわかる。また、図８は、さらに長い経過時間後のリン光輝度をグラフ化したもので、この図８から明らかなように、前記蓄光板１の場合、１２時間程度経過しても所定のリン光輝度が得られることから、例えば一日中使用すること等も可能であることがわかる。
【００４３】
このように前記蓄光板１によれば、基材２の裏面２ｂ側に意匠フィルム４の各イラスト４ａ〜４ｃの形状に対応して凹部３を形成して、この凹部３内に蓄光材５を充填し、この蓄光材５に蓄光されたリン光が各イラスト４ａ〜４ｃ部分を透過して基材２の表面２ａ側から視認可能に構成されているため、蓄光材５を各イラスト４ａ〜４ｃに対応して設けた凹部３内にのみ充填すれば良く、例えば硫化亜鉛等が混合された高価な蓄光顔料の使用量を極力低減、すなわち例えば蓄光材５を基材２の全面に配置する場合等に比較して、蓄光顔料の使用量を１／３程度以下に低減することができる。
【００４４】
特に、前記蓄光板１の場合、所定粒径で所定量の蓄光顔料とエポキシ樹脂とを湯煎しつつ混合することで蓄光材５を形成しているため、蓄光顔料の粒径を所定に設定すること等で蓄光顔料の使用量を一層低減させることができると共に、比較的安価なエポキシ樹脂との混合で、安価な蓄光材５を形成できて、コスト的に有利な蓄光板１を容易に得ることができる。
【００４５】
また、基材２の凹部３内に充填・固化された蓄光材５のリン光が、各凹部３の４つの斜面３ｂから各イラスト４ａ〜４ｃ部分を透過するため、各イラスト４ａ〜４ｃを基材２の表面２ａ側から良好に視認できて、十分なリン光輝度を得ることができる。特に、各凹部３が所定大きさの平面視正方形状で基材２の縦断面で山形形状に形成されていることから、各凹部３の蓄光材５からのリン光が凹部３の斜面３ｂ部分で乱反射しつつ放射され、各イラスト４ａ〜４ｃを一層良好に視認させることができる。
【００４６】
また、基材２が透明なアクリル板で、この基材２の裏面２ｂに反射フィルム６が貼付されているため、蓄光材５に紫外線を効率的に蓄光できると共に、蓄光材５のリン光を基材２の表面２ａ側に良好に放射できて、蓄光効果をより一層高めることができる。これらのことから、コストパフォーマンスに優れ、市場への普及促進やその効果を十分に発揮可能な蓄光板１を容易に提供することが可能になる。
【００４７】
さらに、意匠形成手段としての意匠フィルム４がイラスト４ａ〜４ｃ部分をカットしたフィルムかもしくは適宜の印刷層で形成されているため、意匠形成手段に所望の意匠を簡単かつ安価に形成できて、各種意匠を必要とする蓄光板１に容易に適用することができる。また、意匠フィルム４の表面に透明もしくは半透明なカバーフィルム７が配設されているため、各イラスト４ａ〜４ｃ部分をカバーフィルム７で覆うことができ、蓄板板１自体の耐久性を向上させて、屋外であっても長期に亘り使用することが可能になる。
【００４８】
また、前記蓄光板１の製造方法によれば、基材２の裏面２ｂ側に凹部３を形成するステップ、凹部３内に蓄光材５を充填するステップ、及び充填された蓄光材５を覆うように基材２の裏面２ｂに反射フィルム６を貼付するステップ等を備えるため、蓄光材５をイラスト４ａ〜４ｃに対応した凹部３内にのみ充填すれば良く、その使用量を低減させることができると共に、イラスト４ａ〜４ｃに対応した各凹部３内の蓄光材５でイラスト４ａ〜４ｃ部分を基材２の表面２ａ側から良好に視認できて十分なリン光輝度が得られる等、コストパフォーマンスに優れた蓄光板１の市場への普及促進やその蓄光効果を十分に発揮させることができる。
【００４９】
特に、凹部３内に蓄光材５を充填する際に、基材２の裏面２ｂで各イラスト４ａ〜４ｃが形成されていない部分に養生フィルム８を貼付するため、養生フィルム８で充填される蓄光材５の凹部３以外への付着等を防止でき、イラスト４ａ〜４ｃに対応した凹部３内にのみ蓄光材５を確実に充填できて、蓄光材５の不要部分への付着による蓄光板１の不良品の発生を防止し製品の歩留まりの向上を図ることができると共に、イラスト４ａ〜４ｃの外周線を明確にできて、より視認性や品質的に優れた蓄光板１を得ることができる。
【００５０】
また、蓄光材５がエポキシ樹脂と蓄光顔料とを湯煎しなから混合して形成されるため、蓄光材５の凹部３内への充填を簡単かつ確実に行うことができ、蓄光板１の製造を容易に行うことができる。特に、基材２に形成される凹部３の全体積を予め算出するため、この体積に応じた量の蓄光材５を作成することで、高価な蓄光材５（蓄光顔料）の使用量を低減させつつ、例えば計量カップを使用しながら蓄光材５の充填作業を容易に行うことができ、これらのことから、蓄光板１の製造コストの一層の低減化を図ることが可能になる。
【００５１】
なお、前記実施形態においては、基材２に彫刻で形成される凹部３を、平面視正方形状で縦断面が山形形状で形成すると共に４つの斜面３ｂを平坦に形成し、これらを連設することで、その外形形状がイラスト４ａ〜４ｃの外形形状に略一致するように構成したが、本発明は、この構成に限定されず、例えば前記凹部３を図９に示すように構成することもできる。
【００５２】
すなわち、図９（ａ）は、各イラスト４ａ〜４ｃの全体形状に対応してそれぞれ一つの凹部１０を形成し、この凹部１０の底面１０ａに比較的大きな断面山形形状の凹凸１１を形成したものである。また、図９（ｂ）は、前記凹部１０の底面１０ａに微細でかつランダムな凹凸１１を形成したものである。これらの変形例においても、凹部１０内に蓄光材５を充填し、その裏面側に反射フィルム６を貼付することで、蓄光材５のリン光が底面１０ａの凹凸１１部分で乱反射されつつ基材２の表面２ａ側に放射され、前記実施形態の蓄光板１と同様な作用効果を得ることができる。また、これらの蓄光板１においては、凹部１０として、前記凹部３のように多数の連設した凹部３を形成する必要がなく、凹部１０の形成自体が簡単となることから、蓄光板１の製造コストの一層の低減化を図ることもできる。
【００５３】
このように、蓄光材５のリン光を乱反射させるための凹凸形状は、前述した各例に限定されるものではなく、例えば前記凹部３の斜面３ｂに図９に示す凹凸１１を設ける等、各例を適宜に組み合わせた構成とすることもできる。また、前記凹部３自体の平面視形状や断面形状も前記した各例に限定されるものではなく、例えば凹部３を平面視菱形や円形に形成したり、凹部の断面形状を円弧形状（球状）に形成する等、各種イラスト４ａ〜４ｃ形状に対応して適宜の形状を採用することができる。
【００５４】
また、前記実施形態においては、基材２の全面に３つのイラスト４ａ〜４ｃのみが形成される場合について説明したが、例えば前記３つのイラスト４ａ〜４ｃの下方（もしくは上方や側方）に「ひなん施設」等の文字からなる意匠を設ける場合には、この文字部分の外周線で囲まれる部分に、例えば図９に示すような一つの凹部１０を形成し、この凹部１０内に蓄光材５を充填させるようにすれば良い。勿論、文字幅が比較的大きい（太い）場合には、この文字に対応した凹部３を設け、この凹部３内に蓄光材５を充填しても良いことは勿論である。
【００５５】
さらに、前記実施形態において、例えば蓄光板１自体が大型の場合に、蓄光板１の裏面すなわち反射シート６の外側に、例えば厚さが１〜２ｍｍ程度でカッティングフィルムで色付けされたアルミ板を接着剤で貼付しても良い。このように構成すれば、アルミ板で基材２（蓄光板１）が補強された状態となり、凹部３、１０の形成により薄くなることで発生し易い基材２の反り等を防止することができる。
【００５６】
またさらに、前記実施形態における、基材２の全体形状や外周縁部の構成、凹部の深さ、凹部の斜面の角度等は一例であって、例えば基材２の外周縁部の全域に凹部（凹溝）を設け、この凹部内に蓄光材５を充填させて基材（蓄光板）の外周縁部を明瞭化したり、凹部の深さを基材２の透明度に応じて、例えば板厚の半分程度に設定する等、本発明に係わる各発明の要旨を逸脱しない範囲において、適宜の構成を採用することができる。
【産業上の利用可能性】
【００５７】
本発明は、災害発生時等の避難誘導用の蓄光板（避難誘導用表示板）に限らず、道路の交通標識、商品や会社の宣伝用の看板等、表面側に所定の意匠を有して屋内外に設置される全ての蓄光板にも利用可能である。
【符号の説明】
【００５８】
１・・・・・・・・蓄光板
２・・・・・・・・基材
２ａ・・・・・・・表面
２ｂ・・・・・・・裏面
３・・・・・・・・凹部
３ａ・・・・・・・最深部
３ｂ・・・・・・・斜面
３ｃ・・・・・・・外周斜面
３ｄ・・・・・・・球面
４・・・・・・・・意匠フィルム
４ａ〜４ｃ・・・・イラスト
５・・・・・・・・蓄光材
６・・・・・・・・反射フィルム
７・・・・・・・・カバーフィルム
８・・・・・・・・養生フィルム
【図１】
0005999520.tif 000002
【図２】
0005999520.tif 000003
【図３】
0005999520.tif 000004
【図４】
0005999520.tif 000005
【図５】
0005999520.tif 000006
【図６】
0005999520.tif 000007
【図７】
0005999520.tif 000008
【図８】
0005999520.tif 000009
【図９】
0005999520.tif 000010